(57)【要約】      （修正有）【課題】柔軟素材によって形成されたボディをヘッドに対して容易に脱着することができるとともに、ボディの可動領域を十分に確保することのできる新規なソフトボディルアーの提供。【解決手段】使用時に生ずる各種負荷の耐荷重を具えたヘッド２と、このヘッド２の後方に接続構造を介して接続される柔軟なボディ３とを具えたルアー１であって、この接続構造は、ヘッド２後方に延長形成される接続片５と、ボディ３における接続片受入孔とを具えて構成されるものであり、前記接続片５は、ヘッド２に対し回動可能な状態でピン接続されていることを特徴とする。【選択図】図１
2019154267.tif 000002
【特許請求の範囲】
【請求項１】
使用時に生ずる各種負荷の耐荷重を具えたヘッドと、
このヘッドの後方に接続構造を介して接続される柔軟なボディとを具えたルアーであって、
この接続構造は、ヘッド後方に延長形成される接続片と、
ボディにおける接続片受入孔とを具えて構成されるものであり、
前記接続片は、ヘッドに対し回動可能な状態でピン接続されていることを特徴とするソフトボディルアー。
【請求項２】
前記接続片は、ヘッドに対しピン接続される一対の接続片要素により構成され、
各接続片要素が拡開した状態で係止姿勢を採るものであり、
少なくとも一方の接続片要素には係止姿勢維持用の係止部が設けられ、
前記ボディにおける前記接続片受入孔は接続片要素を受け入れ、これを拡開状態に案内する形状を具えていることを特徴とする請求項１記載のソフトボディルアー。
【請求項３】
前記ボディにおける接続片受入孔は、その挿入開始部から奥に向かって広がり状に分岐する分岐路を有し、且つこの分岐路はボディの外部に開放され、
前記接続片要素のいずれか一方又は双方の自由端側にはフックアイが形成され、
このフックアイがボディ外側に突出するように形成されていることを特徴とする請求項１または２記載のソフトボディルアー。
【請求項４】
前記拡開状態にある一対の接続片要素は、かえし部として機能することを特徴とする請求項２または３記載のソフトボディルアー。
【請求項５】
前記接続片は、ピンの軸方向と同一面内において回動可能に構成されていることを特徴とする請求項１、２、３または４記載のソフトボディルアー。
【発明の詳細な説明】
【技術分野】
【０００１】
本発明は対象魚に対して、ベイトフィッシュに近い動き示すことによって捕食を促すソフトボディルアーに係るものである。
【背景技術】
【０００２】
ルアーフィッシングに用いられるルアーの一つに、シリコンーンゴム等の柔軟素材によって形成されたソフトルアーあるいはソフトボディルアーと呼ばれるものがある。
この種のルアーのうち、小魚の魚体を模し、ラインＬが接続されるヘッド２′を硬質素材により形成し、ボディ３′を柔軟素材によって形成したルアー１′は、図９（ａ）、（ｂ）に示すように、ボディ３′の前面に、ヘッド２′に具えられた接続片５′を付き刺すようにしてこれらを一体化するものである。
ところで前記柔軟素材によって形成されたボディ３′は、通常、対象魚の嗜好に応じて大きさ、色、形状、柔軟性等を異ならせた複数のものが用意され、アングラーは状況に応じてこれらを適宜選択して釣果の向上を目指す。
しかしながらヘッド２′に一旦装着されたボディ３′は、抜け止め防止のためのかえし部５４′に抗ってむりやり引き離される状態となり、これにより接続片５′が刺さっていた部分の周辺が損傷してしまうため、ボディ３′の再使用は不可能となってしまい、使い捨てとされているのが実情である。
また前記接続片５′が付き刺されるボディ３′は、シリコンーンゴム等が無垢の状態であり、アングラーは任意の位置に接続片５′を刺すことになるものであり、その際の差し方にはある一定の熟練を要するものである。このため接続片５′がボディ３′に真っ直ぐに刺し込まれなかったときには、リトリーブの際にルアー１′が曲がって泳いだり、回転してしまったりと、ルアー１′の性能が充分に発揮できすることができない。
【０００３】
なおボディに開閉自在の切り込み部を形成し、ボディの交換作業を容易にすることを図ったルアーも提案されているが（例えば特許文献1 参照）、使用時には、アングラーによるリトリーブ、ジャーク、トゥイッチ等の動作にともなってボディが激しく振動するため、前記切り込み部に水流が進入することは避けられず、甚だしい場合にはボディの脱落を引き起こしてしまう。
【０００４】
また上述のような構造に起因し、接続片５′が芯材として機能することにより、この範囲のボディ３′は、ヘッド２′と実質的に一体化された状態となってしまう。このため図９（ｃ）に示すように、魚のしなやかな動きを再現することができるのは、ボディ３′における接続片５′が刺さっていない尾鰭部３２′側の部位のみとなってしまっている。
【先行技術文献】
【特許文献】
【０００５】
【特許文献１】特開２０１３−２０８０６１公報
【発明の概要】
【発明が解決しようとする課題】
【０００６】
本発明はこのような知得に基づいてなされたものであって、柔軟素材によって形成されたボディをヘッドに対して容易に脱着することができるとともに、ボディの可動領域を十分に確保することのできる新規なソフトボディルアーの開発を技術課題としたものである。
【課題を解決するための手段】
【０００７】
すなわち請求項１記載のソフトボディルアーは、使用時に生ずる各種負荷の耐荷重を具えたヘッドと、このヘッドの後方に接続構造を介して接続される柔軟なボディとを具えたルアーであって、この接続構造は、ヘッド後方に延長形成される接続片と、ボディにおける接続片受入孔とを具えて構成されるものであり、前記接続片は、ヘッドに対し回動可能な状態でピン接続されていることを特徴として成るものである。
【０００８】
また請求項２記載のソフトボディルアーは、前記要件に加え、前記接続片は、ヘッドに対しピン接続される一対の接続片要素により構成され、各接続片要素が拡開した状態で係止姿勢を採るものであり、少なくとも一方の接続片要素には係止姿勢維持用の係止部が設けられ、前記ボディにおける前記接続片受入孔は接続片要素を受け入れ、これを拡開状態に案内する形状を具えていることを特徴として成るものである。
【０００９】
更にまた請求項３記載のソフトボディルアーは、前記要件に加え、前記ボディにおける接続片受入孔は、その挿入開始部から奥に向かって広がり状に分岐する分岐路を有し、且つこの分岐路はボディの外部に開放され、前記接続片要素のいずれか一方又は双方の自由端側にはフックアイが形成され、このフックアイがボディ外側に突出するように形成されていることを特徴として成るものである。
【００１０】
更にまた請求項４記載のソフトボディルアーは、前記請求項２または３記載の要件に加え、前記拡開状態にある一対の接続片要素は、かえし部として機能することを特徴として成るものである。
【００１１】
更にまた請求項５記載のソフトボディルアーは、前記要件に加え、前記接続片は、ピンの軸方向と同一面内において回動可能に構成されていることを特徴として成るものである。
そしてこれら各請求項記載の発明の構成を手段として前記課題の解決が図られる。
【発明の効果】
【００１２】
まず請求項１記載の発明によれば、尾鰭部が水流を受けることにより左右に規則的に振れ、その反動で胴体部がロールして、魚が尾びれを振って泳いでいる姿と同じアクションを、よりリアルに再現することができる。
またボディには接続片受入孔が形成されるため、本発明のソフトボディルアーを初めて扱うアングラーであっても、ヘッド後方に延長形成される接続片をこの接続片受入孔に挿入することにより、熟練度に関係なく、ヘッドとボディとを真っ直ぐに接続することができる。
【００１３】
また請求項２記載の発明によれば、接続片の係止姿勢を維持することにより、ヘッドとボディとの組み付け状態を維持し、接続片の係止姿勢を解除することにより、ヘッドとボディとの組み付け状態を解除することができ、ボディを損傷するこなく容易に交換することができる。
【００１４】
また請求項３記載の発明によれば、柔軟素材によって形成されたボディに対して、実質的にフックを装着することが可能となる。
【００１５】
また請求項４記載の発明によれば、ボディから接続片が抜けてしまうのを防止することができる。
【００１６】
また請求項５記載の発明によれば、ボディを、その最先端から回動させることができ、魚が尾びれを振って泳いでいる姿と同じアクションを、よりいっそうリアルに再現することができる。
【図面の簡単な説明】
【００１７】
【図１】本発明のソフトボディルアーを示す側面図である。
【図２】ヘッドを示す分解図（ａ）、斜視図（ｂ）及び背面図（ｃ）並びに接続片要素を示す側面図である。
【図３】ボディを示す側面図（ａ）、正面図（ｂ）及び背面図（ｃ）である。
【図４】開放姿勢のヘッドを示す側面図（ａ）、平面図（ｂ）及び背面図（ｃ）並びに係止姿勢のヘッドを示す側面図（ｄ）、平面図（ｅ）及び背面図（ｆ）である。
【図５】ヘッドとボディの組み付けの様子を段階的に示す側面図である。
【図６】接続片の係止姿勢を解除する様子を示す斜視図である。
【図７】本発明のソフトボディルアーがリトリーブされている状態を一部透視拡大して示す平面図である。
【図８】本発明の他の実施例を示す側面図（ａ）、（ｂ）及び斜視図（ｃ）である。
【図９】従来のソフトボディルアーを示す側面図（ａ）、（ｂ）及び平面図（ｃ）である。
【発明を実施するための形態】
【００１８】
以下本発明のソフトボディルアーの最良の形態について、図示の実施例に基づいて説明するが、この実施例に対して、本発明の技術的思想の範囲内において適宜変更を加えることも可能である。
【実施例】
【００１９】
図中符号１で示すものが本発明のソフトボディルアー（以下、ルアー１と称する。）であって、このものは使用時に生ずる各種負荷の耐荷重を具えたヘッド２と、このヘッド２の後方に接続構造を介して接続される柔軟なボディ３とを具えて成るものである。
そして前記接続構造は、ヘッド２の後方に延長形成される接続片５と、ボディ３における接続片受入孔３５とを具えて構成されるものであり、前記接続片５は、ヘッド２に対し回動可能な状態でピン５３により接続されている。
【００２０】
前記ヘッド２の前部にはラインアイ６が具えられ、更に下部にフックアイ７が具えられる。またボディ３の下部（腹部）にフックアイ５１ｂが具えられ、上部（背部）にフックアイ５２ｂが具えられる。そして各々のフックアイ７、５１ｂに対してスプリットリング８を介在させてフック９が接続される。
そしてルアー１は、ロッドに装着されたリールに巻かれたラインＬを、適宜スイベルＳを介在させてラインアイ６に接続した状態で、ルアーフィッシングに供されるものである。
以下、ルアー１を構成する各部材について詳しく説明する。
【００２１】
まず前記ヘッド２について説明するとこのものは図２に示すように、一例として小魚の頭部を模して樹脂成形された左右対称のヘッド要素片２Ａ、２Ｂを張り合わせて形成されるものであり、その表面に対象魚のベイトフィッシュ（捕食対象魚）を模したカラーリング等が施されるものである。
例えば対象魚がヒラメである場合には、いわし等がベイトフィッシュとなるため、これらの魚を模したカラーリングが施される。もちろんこの他にも、レインボーカラーとしたり、ラメ装飾を施すこと等によっても、対象魚の視覚を刺激してバイトを誘うことができる。
【００２２】
そしてヘッド２の正面には、円環状のラインアイ６が具えられ、更にヘッド２の下部に円環状のフックアイ７が具えられるものであり、これらを支持するための突起２１及び溝２２が形成される。なおラインアイ６の位置、フックアイ７の位置及び数については、適宜変更、増減することが可能である。
そしてヘッド２の後方下部付近には、前記ピン５３を受け入れるためのピン受入穴２３が形成されるとともに、その周辺は、ヘッド要素片２Ａ、２Ｂを張り合わせて一体化した際に外部から露見する接続片可動空間２５として形成される。
なおヘッド２内に適宜錘を位置させるようにしてもよい。
【００２３】
次に前記ボディ３について説明するとこのものは一例としてシャッドテールワームと呼ばれる形態が採られるものであり、シリコンーンゴム等の柔軟素材によって小魚の魚体を模して形成されたものであり、図３に示すように胴体部３１の最後部に尾鰭部３２が形成されて成る。この尾鰭部３２は図３（ｃ）に示す様に、水の抵抗を受け易いように背面視しずく形状に形成され、この尾鰭部３２が水流を受けることにより左右に規則的に振れ、その反動で胴体部３１がロールして、魚が尾びれを振って泳いでいる姿と同じアクションをすることを可能にするものである。
また胴体部３１における尾鰭部３２の一定範囲は、一例として表層部を櫛刃状に切除することにより意図的に硬度が低下させられ屈曲促進部３３として形成するようにした。
【００２４】
そしてボディ３の胴体部３１には接続片受入孔３５が形成されるものであり、この接続片受入孔３５は、ボディ３の前面に形成された挿入開始部３５ａから奥に向かって側面視で広がり状に分岐する分岐路を有し、且つこの分岐路はボディ３の外部に開放されるものであり、腹部側の突出口３５ｂ、背部側の突出口３５ｃとして形成される。
なお接続片受入孔３５は図３（ｂ）の正面図に示すように、ボディ３の中央に形成されるとともに、図３（ａ）の側面図に示すように、ボディ３の長手方向に真っ直ぐに延びるように形成される。
【００２５】
次に前記接続片５について説明すると、このものは前記ヘッド２に対し回動可能な状態でピン５３により接続され、ヘッド２の後方に延長形成されるものである。具体的には、図２（ｄ）の側面図で示すように長手方向に緩やかに屈曲した長尺の板状部材である接続片要素５１と、この接続片要素５１よりも短寸で同じく長手方向に緩やかに屈曲した板状部材である接続片要素５２とを具えて構成される。また接続片要素５１の両端には基端孔５１ａ、フックアイ５１ｂが形成され、同様に接続片要素５２の両端には基端孔５２ａ、フックアイ５２ｂが形成される。
なおこの実施例では、接続片要素５１の基端孔５１ａ側に爪状の係止部５５を設けるようにした。もちろんこの係止部５５を接続片要素５２に具えるようにしてもよい。
【００２６】
そして図２（ａ）〜（ｃ）に示すように、基端孔５１ａ、５２ａにピン５３を挿通状態とし、更にピン５３の両端をピン受入穴２３に挿入するようにしてヘッド要素片２Ａ、２Ｂを組み合わせることにより、接続片５が接続片可動空間２５から突出した状態で構成される。
このように構成された接続片５は、まず図４（ａ）、（ｄ）に示すようにピン５３の軸方向に対して直交する面内において回動自在とされるものであり、その可動範囲は接続片可動空間２５の上下の内壁によって規制される。
一方、図４（ｂ）、（ｃ）、（ｅ）、（ｆ）に示すように、接続片５は  ピン５３の軸方向と同一の面内において回動自在とされるものであり、その可動範囲は接続片可動空間２５の左右の内壁によって規制される。
なお図４（ａ）に示すように側面視において、接続片要素５１と接続片要素５２がほぼ直線状となった状態を開放姿勢と呼ぶ。
一方、図４（ｄ）に示すように側面視において、接続片要素５２が接続片要素５１の上方に位置し、係止部５５の上部に接触している状態を係止姿勢と呼ぶ。そしてこの係止姿勢にあっては、拡開状態となった接続片要素５１及び接続片要素５２がかえし部５４として機能することとなる。
【００２７】
本発明のルアー１は上述した部材を組み合わせて構成されるものであり、以下、ヘッド２とボディ３との組み付け態様及びボディ３の交換態様について説明する。
まず接続片５を図４（ａ）に示した開放姿勢とし、始めにボディ３における挿入開始部３５ａに接続片要素５１を挿入し、更に接続片要素５２を挿入する（図５（ａ）、（ｂ）参照）。
そしてボディ３中の接続片要素５１、５２の位置を、外側から適宜指で整えながらボディ３をヘッド２側に押し付けると、やがて突出口３５ｂから接続片要素５１が突出し、突出口３５ｃから接続片要素５２が突出することなる（図５（ｃ）参照）。
次いでボディ３から突出した接続片要素５１及び接続片要素５２を、それぞれ指でつまんで外側に広げるようにすると、接続片要素５２は接続片要素５１に形成された係止部５５の上方に位置することとなり、これにより係止姿勢が維持されることとなる（図５（ｃ）、（ｄ）各拡大図参照）。
なおボディ３における接続片受入孔３５中に位置する接続片要素５１及び接続片要素５２の左右には、ボディ３を構成するシリコーンゴム等が密接しており、接続片要素５１と接続片要素５２とを密接させるような圧がかかるため、接続片要素５２が係止部５５の上方に位置した状態すなわち係止姿勢が維持されるものである。
【００２８】
次いで適宜フック９を装着することによりルアー１が完成するものであり、この実施例では一例として図１に示すようにヘッド２におけるフックアイ７及びボディ３の腹部に突出したフックアイ５１ｂに、スプリットリング８及びフック９（一例としてトリプルフック）を装着するようにした。なお背部に突出したフックアイ５２ｂに、後述するシングルフック９１等を装着するようにしてもよい。
【００２９】
次にボディ３の交換態様について説明すると、まずフックアイ７及びフックアイ５１ｂからスプリットリング８及びフック９を取り外す。
次いで例えば図６に示すように、右手の人差し指の側部に接続片要素５２を載せ、親指を接続片要素５１に載せた状態で、左手でつまんだヘッド２とボディ３を、ボディ３側が手前にくるように捻ることにより、図５（ｄ）に示す係止部５５が機能した係止姿勢が解除され、図５（ｃ）に示す状態となる。
次いで接続片要素５１、５２を接続片受入孔３５から引き抜くようにしてヘッド２とボディ３とを引き離すものであり、適宜対象魚の嗜好に応じて大きさ、色、形状、柔軟性等を異ならせたボディ３をヘッド２と組み付けることにより、ボディ３の交換作業が完了する。
【００３０】
そして上述のように構成される本発明のルアー１は、柔軟素材によって形成されたボディ３をヘッド２に対して容易に脱着することができることに加え、ボディの可動領域を十分に確保することのできるものである。
具体的には、本発明のルアー１においては、接続片５が、ピン５３の軸方向と同一の面内において回動自在とされるものであり、その可動範囲は接続片可動空間２５の左右の内壁によって規制されるため、ルアーがリトリーブされている状態を示す図７に拡大して示すように回動することとなる。このためシャッドテールワーム特有の、尾鰭部３２が水流を受けることにより左右に規則的に振れ、その反動で胴体部３１がロールして、魚が尾びれを振って泳いでいる姿と同じアクションを、よりリアルに再現することができるものである。
【００３１】
一方、図９に示す従来タイプのルアー１′においては、接続片５′が芯材として機能することにより、この範囲のボディ３′は、ヘッド２′と実質的に一体化された状態となってしまう。このため、魚のしなやかな動きを再現することができるのは、ボディ３′における接続片５′が刺さっていない尾鰭部３２′側の部位のみとなってしまい、シャッドテールワーム特有の、尾鰭部３２が水流を受けることにより左右に規則的に振れ、その反動で胴体部３１がロールして、魚が尾びれを振って泳いでいる姿と同じアクションをすることはできるものの、不自然な動きとなってしまっている。
【００３２】
〔他の実施例〕
本発明は上述した実施例を基本となる実施例とするものであるが、本発明の技術的思想の範囲で以下に示すような改変形態を採ることもできる。
まず、上述した基本となる実施例では、接続片要素５１、５２を一つのピン５３を用いてヘッド２に対しピン接続したが、図８（ａ）に示すようにそれぞれ個別にピン５３を用いて回動自在とする形態を採ることもできる。
【００３３】
また上述した基本となる実施例では、接続片要素５１、５２の自由端がボディ３の外側に突出するような構成を採ったが、図８（ｂ）に示すように、係止姿勢が維持された状態の接続片要素５１、５２が、ボディ３中に埋没状態となるような形態を採ることもできる。
なおこの場合、ボディ３にフックアイ７を設置することができなくなるため、一例として軸の長いシングルフック９１を、ヘッド２の後頭部に具えられたフックアイ７に装着し、このシングルフック９１の軸に具えられたニードル９２を、ボディ３の背に突き刺すような形態が採り得る。
【００３４】
また上述した基本となる実施例では、接続片５を接続片要素５１、５２を組み合わせることにより構成したが、図８（ｃ）に示すように、かえし部５４が形成された単一部材の接続片５を用い、この接続片５がピン５３の軸方向と同一の面内で回動自在とされるような形態を採ることもできる。
【符号の説明】
【００３５】
１      ルアー
２      ヘッド
２Ａ    ヘッド要素片
２Ｂ    ヘッド要素片
２１    突起
２２    溝
２３    ピン受入穴
２５    接続片可動空間
３      ボディ
３１    胴体部
３２    尾鰭部
３３    屈曲促進部
３５    接続片受入孔
３５ａ  挿入開始部
３５ｂ  突出口
３５ｃ  突出口
５      接続片
５１    接続片要素
５１ａ  基端孔
５１ｂ  フックアイ
５２    接続片要素
５２ａ  基端孔
５２ｂ  フックアイ
５３    ピン
５４    かえし部
５５    係止部
６      ラインアイ
７      フックアイ
８      スプリットリング
９      フック
９１    シングルフック
９２    ニードル
Ｌ      ライン
Ｓ      スイベル
【図１】
2019154267.tif 000003
【図２】
2019154267.tif 000004
【図３】
2019154267.tif 000005
【図４】
2019154267.tif 000006
【図５】
2019154267.tif 000007
【図６】
2019154267.tif 000008
【図７】
2019154267.tif 000009
【図８】
2019154267.tif 000010
【図９】
2019154267.tif 000011